(57)【特許請求の範囲】
【請求項１】
ロングタームエボリューションシステムLTEモードホーム基地局システムにおけるゲートウェイ安定性を向上させる方法であって、
ゲートウェイHeNB GWはHeNB GWと単一の移動管理エンティティMMEの間に複数のSCTPリンクを確立する必要があることを確定し、同一のMMEでの異なるSCTPリンクにおけるS1インターフェイスのために異なるグローバルeNB識別子Global eNB IDを設定することと、
HeNB GWはHeNB GWとMMEの間の複数のSCTPリンクを確立することと、
HeNB GWは確立した各SCTPリンクに対して、S1確立要求によってMMEに該SCTPリンクベアラの上位層アプリケーション構成情報を知らせ、該SCTPリンクにS1リンクを確立することと、を含むロングタームエボリューションシステムLTEモードホーム基地局システムにおけるゲートウェイ安定性を向上させる方法。
【請求項２】
前記HeNB GWは既存ネットワーク計画に基づいて確立する必要があるSCTPリンクの数を確定し、或いはリアルタイムな又は定期的なシステム統計データに基づいて確立する必要があるSCTPリンクの数を確定する請求項1に記載のゲートウェイ安定性を向上させる方法。
【請求項３】
リアルタイムな又は定期的なシステム統計データに基づいて確立する必要があるSCTPリンクの数を確定する場合に、本回のシステム統計データに基づいて現在に確立する必要があるSCTPリンクの数を確定した後に、前記HeNB GWと前記MMEの間のSCTPリンクを削除又は増加することによって、現在に必要なSCTPリンクの数を形成する請求項2に記載のゲートウェイ安定性を向上させる方法。
【請求項４】
前記SCTPリンクにS1リンクを確立した後に、
LTEモードのホーム基地局HeNBはHeNB GWにS1確立要求を送信し、HeNB GWが要求を受信した後に、需要を満たすMMEとHeNB GWの間の複数のSCTPリンクにおいて、1つのSCTPリンクを選択して該HeNBに常駐し、そして該HeNBが送信したS1確立要求及びそれに含まれた上位層アプリケーション構成情報に基づいて、該HeNBと HeNB GWの間に1つのS1リンクを確立することをさらに含む請求項1〜3のいずれか一項に記載のゲートウェイ安定性を向上させる方法。
【請求項５】
1つのSCTPリンクを選択して常駐するのは、現在トラフィックが最も少なく又は接続されるHeNBが最も少ないSCTPリンクを選択して常駐することを指す請求項4に記載のゲートウェイ安定性を向上させる方法。
【請求項６】
ロングタームエボリューションシステムLTEモードホーム基地局システムにおけるゲートウェイ安定性を向上させる装置であって、
ゲートウェイHeNB GWが、HeNB GWと単一の移動管理エンティティMMEの間に複数のSCTPリンクを確立する必要があることを確定し、同一のMMEでの異なるSCTPリンクにおけるS1インターフェイスのために異なるグローバルeNB識別子Global eNB IDを設定するように設定されるSCTPリンク数確定処理モジュールと、
HeNB GWが、HeNB GWとMMEの間の複数のSCTPリンクを確立するように設定されるSCTPリンク確立処理モジュールと、
HeNB GWが、確立した各SCTPリンクに対して、S1確立要求によってMMEに該SCTPリンクベアラの上位層アプリケーション構成情報を知らせ、該SCTPリンクにS1リンクを確立するように設定されるS1リンク確立処理モジュールと、を含むロングタームエボリューションシステムLTEモードホーム基地局システムにおけるゲートウェイ安定性を向上させる装置。
【請求項７】
前記SCTPリンク数確定処理モジュールは、既存ネットワーク計画に基づいて確立する必要があるSCTPリンクの数を確定し、或いはリアルタイムな又は定期的なシステム統計データに基づいて確立する必要があるSCTPリンクの数を確定するように設定される請求項6に記載のゲートウェイ安定性を向上させる装置。
【請求項８】
前記SCTPリンク数確定処理モジュールは、リアルタイムな又は定期的なシステム統計データに基づいて確立する必要があるSCTPリンクの数を確定する場合に、本回のシステム統計データに基づいて現在に確立する必要があるSCTPリンクの数を確定した後に、前記HeNB GWと前記MMEの間のSCTPリンクを削除又は増加することによって、現在に必要なSCTPリンクの数を形成するように設定される請求項7に記載のゲートウェイ安定性を向上させる装置。
【請求項９】
LTEモードのホーム基地局HeNBはHeNB GWにS1確立要求を送信し、HeNB GWが要求を受信した後に、需要を満たすMMEとHeNB GWの間の複数のSCTPリンクにおいて、1つのSCTPリンクを選択して該HeNBに常駐し、そして該HeNBが送信したS1確立要求及びそれに含まれた上位層アプリケーション構成情報に基づいて、該HeNBとHeNB GWの間に1つのS1リンクを確立するように設定されるSCTPリンク選択処理モジュールをさらに含む請求項6〜8のいずれか一項に記載のゲートウェイ安定性を向上させる装置。
【請求項１０】
前記SCTPリンク選択処理モジュールは1つのSCTPリンクを選択して常駐するのは現在トラフィックが最も少なく又は接続されるHeNBが最も少ないSCTPリンクを選択して常駐することを指す請求項9に記載のゲートウェイ安定性を向上させる装置。
【発明の詳細な説明】
【技術分野】
【０００１】
本発明は移動通信におけるホーム基地局技術分野に関し、特にLTEモードホーム基地局システムにおけるゲートウェイ安定性を向上させる方法及び装置に関する。
【背景技術】
【０００２】
本文で記載する英語略称及びその解釈は下記の通りである。
3G：3rd-Generation、第3世代移動通信技術、
LTE：Long Term Evolution、ロングタームエボリューションシステム、
GSM：Global System of Mobile Communication、全球移動通信システム、
EPC：Evolved Packet Core、進化型パケットコア、
eNB、eNodeb：Evolved Node B、進化型基地局、
E-URTAN：Evolved Universal Terrestrial Radio Access Network、進化型ユニバーサル地上無線アクセスネットワーク、
UE：User Equipment、ユーザー端末、
MME：Mobility Management Entity、移動管理エンティティ、主にシグナリング関連を処理するコアネットワーク要素、
S GW：Serving Gateway、サービスゲートウェイ、主にサービス関連を処理するコアネットワーク要素、
Femto：ホーム基地局システム、主にホーム基地局とFemtoゲートウェイを含む、
HNB：Home Node B、3Gモードのホーム基地局を使用する、
HeNB：Home eNB、LTEモードのホーム基地局を使用する、
HeNB GW：Home eNB Gateway、HeNBゲートウェイ、
SCTP：Stream Control Transmission Protocol、ストリーム制御伝送プロトコル、
TAC：Tracking Area Code、トラッキングエリアコード、
CSG：Closed Subscriber Group、クローズドユーザーグループ、
PLMN：Public Land Mobile Network、公衆陸上移動ネットワーク、
HeMS：Home eNB management system、HeNBの管理システム、
Global eNB ID、グローバルeNB識別子、
AP：Access Point、無線アクセスポイント。
【０００３】
LTEシステムは第3世代移動通信システムに対する進化であり、LTEシステム全体はeNB、EPC及びUEという三部分からなり、図1はLTEシステムのネットワークアーキテクチャ図を示し、eNBは進化型基地局であり、EPCはコアネットワーク部分を担当し、MMEとSGWを含み、UEはユーザー端末であり、その中、E-URTAN側の複数のeNBはS1インターフェイスによってMME/S GWにアクセスし、各eNBの間にX2インターフェイスによって接続される。
【０００４】
マクロセルネットワーク（3Gネットワーク又はLTEネットワーク）規模が継続的に拡大することに伴って、ユーザー数量が持続的に増加し、ユーザーのデータ帯域幅需要が増加している。3GネットワークとLTEネットワークの使用頻度が高く、GSMと比べて、その信号浸透能力が悪いため、室内カバレッジはネットワーク最適化の1つの困難となり、一般的に室内分布システムを設立するように3Gネットワーク又はLTEネットワークの室内カバレッジを実現する。しかしながら、従来の条件で、室内分布システムは一般的にいくつかのホテル、中高級居住地域又は公共のホットスポット場所だけに架設される。一般的な居住地域に対して、各種の条件に限りがあり、室内分布システムを架設することができないため、室内3G又はLTE信号が弱くてひいては信号が全くなく、ユーザー体験に大きな影響を及ぼす。
【０００５】
このため、Femtoシステム、即ちホーム基地局システムを提案しており、用いられた公共ブロードバンド或いはオペレータ伝送アクセスはインターネットによって安全ゲートウェイ及びオペレータのコアネットワークにアクセスし、ユーザーに無線信号カバレッジを提供し、ユーザー体験を改善することができ、室内カバレッジブラインド埋め、熱補充の重要技術である。Femtoシステムについては、主にホーム基地局とfemtoゲートウェイからなり、ホーム基地局はその用いられた無線技術の異なりによって3Gモードを使用するホーム基地局とLTEモードを使用するホーム基地局HeNBに分けられる。
【０００６】
図2はLTEモードのFemtoシステムネットワーク要素アーキテクチャ図を示し、LTEシステムにHeNB GWを引き入れ、その下に複数のHeNBがリンクされる。まず、HeNB GWはS1リンクによって1対多数で複数のHeNBが接続され、次に、HeNB GWはS1リンクによって1対多数で複数のMME/S GWにアクセスして負荷分担と災害復旧バックアップを行う。また、HeNBはS1によって直接にMME/S GWにアクセスすることもできる。図2のLTEモードFemtoシステムアーキテクチャにおいて、各ネットワーク要素の接続関係から分かるように、MMEに対して、HeNB GWがメトロセル基地局eNodebに相当し、HeNBに対して、HeNB GWがMMEに相当するため、HeNBが直接にMME/S GWに接続されても、HeNBがHeNB GWによってMME/S GWに接続されても、その間のS1インターフェイスの定義と機能は全く一致する。LTEモードのFemtoシステムの他のネットワーク要素はHeNBの関連パラメータを配置するためのHeMS（図2に不図示）をさらに含む。
【０００７】
マクロセル基地局eNBに対して、従来のプロトコルでは、1つのMMEと1つのeNBの間に唯一無二の1つのSCTPリンクだけを有することを規定し、これはマクロセルeNBである場合に問題がなく、1つのマクロ基地局でのユーザー数に限りがあり、1つのSCTPがもう上位層サービスの需要を満足することができる。しかしながら、HeNB GWを引き入れた後に、1つのHeNB GWの下に数万ひいては数十万のHeNBを接続する可能性があり、ユーザー数が劇的に増加し、依然としてプロトコルにしたがってははるかにネットワーキングの需要を満足できなく、1つのHeNB GWと1つのMMEの間に1つのSCTPリンクだけを確立し、超大容量ユーザーの需要を満足することが難しく、一旦ユーザー数が一定の程度まで増加すると、大量のシグナリングロス又はデータパケットロスが避けられないことであり、ゲートウェイの安定性も確保できない。
【発明の概要】
【発明が解決しようとする課題】
【０００８】
関連技術におけるHeNB GW容量が実際のネットワーキング需要を満足できない問題を解決するために、本発明はLTEモードホーム基地局システムにおけるゲートウェイ安定性を向上させる方法及び装置を提供する。
【課題を解決するための手段】
【０００９】
一方で、本発明のLTEモードホーム基地局システムにおけるゲートウェイ安定性を向上させる方法は、ゲートウェイHeNB GWはHeNB GWと単一の移動管理エンティティMMEの間に複数のSCTPリンクを確立する必要があることを確定し、同一のMMEでの異なるSCTPリンクにおけるS1インターフェイスのために異なるグローバルeNB識別子Global eNB IDを設定することと、HeNB GWはMMEとの間の複数のSCTPリンクを確立することと、HeNB GWは確立した各SCTPリンクに対して、S1確立要求によってMMEに該SCTPリンクベアラの上位層アプリケーション構成情報を知らせ、該SCTPリンクにS1リンクを確立することと、を含む。
【００１０】
好ましくは、HeNB GWは既存ネットワーク計画に基づいて或いはリアルタイムな又は定期的なシステム統計データに基づいて確立する必要があるSCTPリンク数を確定し、リアルタイムな又は定期的なシステム統計データに基づいて確立する必要があるSCTPリンク数を確定する場合に、本回のシステム統計データに基づいて現在に確立する必要があるSCTPリンク数を確定した後に、前記HeNB GWと前記MMEの間のSCTPリンクを削除又は増加することによって、現在に必要なSCTPリンク数を形成する。
【００１１】
好ましくは、上記方法は、LTEモードのホーム基地局HeNBはHeNB GWにS1確立要求を送信し、HeNB GWが要求を受信した後に、需要を満たす各MMEとHeNB GWの間の複数のSCTPリンクにおいて、1つのSCTPリンクを選択して該HeNBを常駐し、複数のMMEが需要を満たすと、最終的に複数のSCTP接続が該HeNBを常駐することとなり、該HeNBのS1メッセージを伝送することに用いられ、そしてHeNB GWは該HeNBが送信したS1確立要求及びそれに含まれた上位層アプリケーション構成情報に基づいて、該HeNBとHeNB GWの間に1つのS1リンクを確立することをさらに含む。
【００１２】
その中、前記選択は、現在トラフィックが最も少なく又は接続されるHeNBが最も少ないSCTPリンクを選択して常駐することを指す。
【００１３】
他方で、本発明は、ゲートウェイHeNB GWはHeNB GWと単一の移動管理エンティティMMEの間に複数のSCTPリンクを確立する必要があることを確定し、同一のMMEでの異なるSCTPリンクにおけるS1インターフェイスのために異なるグローバルeNB識別子Global eNB IDを設定するように設定されるSCTPリンク数確定処理モジュールと、HeNB GWはHeNB GWとMMEの間の複数のSCTPリンクを確立させるように設定されるSCTPリンク確立処理モジュールと、HeNB GWは確立した各SCTPリンクに対して、S1確立要求によってMMEに該SCTPリンクベアラの上位層アプリケーション構成情報を知らせ、該SCTPリンクにS1リンクを確立するように設定されるS1リンク確立処理モジュールと、を備えるLTEモードホーム基地局システムにおけるゲートウェイ安定性を向上させる装置をさらに提供する。
【図面の簡単な説明】
【００１４】
【図１】関連技術におけるLTEシステムのネットワークアーキテクチャ図である。
【図２】関連技術におけるLTEモードFemtoシステムアーキテクチャ図である。
【図３】関連技術におけるMMEとHeNBの間のプロトコルスタック模式図である。
【図４】本発明におけるゲートウェイ安定性を向上させる方法のフローチャートである。
【図５】本発明における第一実施例の処理フローチャートである。
【図６】本発明における第二実施例の処理フローチャートである。
【図７】本発明におけるゲートウェイ安定性を向上させる装置模式図である。
【発明を実施するための形態】
【００１５】
以下、図面及び実施例を参照して、本発明をさらに詳細的に説明する。ここで述べた具体的な実施例は本発明を説明するためのものだけであり、本発明を制限するためのものではないことを理解すべきである。
【００１６】
本分野において、図3に示すように、ストリーム制御伝送プロトコルSCTPは2つの端点の間に安定で、順序付けられたデータ転送サービスを提供し、無線ネットワーク層プロトコルS1APはストリーム制御伝送プロトコルSCTPの上に確立され、S1APはLTEシステムアクセスネットワークとコアネットワークインターフェイスS1-MMEのアプリケーション層プロトコルであり、アクセスネットワークとコアネットワークの間シグナリングとデータの伝送を制御する。
【００１７】
本発明はLTEモードホーム基地局システムにおけるゲートウェイHeNB GWの安定性を向上させる方法を提供し、HeNB GWとMMEの間に複数のSCTPリンクを確立することによって、そして各SCTPリンクに対して、S1確立要求によってMMEに該SCTPリンクベアラの上位層アプリケーション構成情報を知らせる。これに基づいて、各SCTPリンクの上に1つのS1リンクを確立してHeNB GW容量を拡張し、データロスを避け、伝送安定性を向上させる目的を達成する。
【００１８】
図4に示すように、上記方法は具体的に、
ステップS101、HeNB GWは確立する必要がある複数の伝送層SCTPリンク数を確定し、且つ、1つのHeNB GWと単一のMMEの間に複数のSCTPリンクを確立させることができるため、単一のMMEにとって、その後に各SCTPに確立した各S1リンクは異なるeNBに属するため、確立するSCTPリンクに対して、同一のMMEでの異なるSCTPリンクにおけるS1インターフェイスのために異なるグローバルeNB識別子Global eNB IDを設定することを実現する必要があり、
ステップS102、HeNB GWはその自体とMMEの間に所要の複数のSCTPリンクを確立し、
ステップS103、各SCTPリンクに対して、HeNB GWはS1確立要求によってMMEに該SCTPリンクベアラの上位層アプリケーション構成情報を知らせ、該SCTPリンクにS1リンクを確立するようにする。
【００１９】
確立した各S1リンクはいずれもS1ポートメッセージを伝送することに用いられることができるため、HeNBとMMEの間のS1メッセージを効果的に負荷分担し、1つのSCTPに発生する可能性があるロス状況を減少ひいては避け、HeNB GWの容量と安定性を向上させる。
【００２０】
図5は本発明における第一実施例のフローチャートであり、静的構成に基づいて確立する必要があるSCTPリンク数を予測し、該フローにしたがってHeNB GWと単一のMMEの間に該数量のSCTPリンクを確立する。
【００２１】
ステップS201、既存ネットワーク計画のHeNB GWユーザー状況又はオペレータが要求したHeNB GW容量状況に基づいて、HeNB GWはそれと単一のMMEの間に確立する必要があるSCTPリンク数を予測し、各SCTPリンクにおけるS1インターフェイスのために異なるGlobal eNB IDを設定する。
【００２２】
必要なSCTPリンク数を確定する際に、必要なS1リンク数に応じて間接に計算でき、即ちセルにサポートする必要があるTAC、CSG及びPLMN数が多いほど、S1リンク数が多くなるべきであり（プロトコルに基づいて、1つのS1接続に最も多く256個のTAC、256個のCSG、6個のPLMNを含む）、必要なSCTPリンク数が多くなることが言うまでもない。
【００２３】
ステップS202、HeNB GWはMMEにSCTP確立フローを開始し、複数のSCTPリンクを確立する。
【００２４】
ステップS203、それぞれ確立したSCTPリンクに対して、HeNB GWはMMEに無線ネットワーク層のS1リンク確立要求を送信し、上位層アプリケーション構成情報を含み、MMEに該SCTPリンクベアラの上位層アプリケーション構成情報を知らせるようにし、具体的に対応なGlobal eNB ID、トラッキングエリアコード、公衆陸上移動ネットワーク識別子、クローズドユーザグループ識別子、デフォルトのページング間欠受信、eNB名称などを含む。これに基づいて、各SCTPリンクにそれぞれ1つのS1リンクを確立し、MMEはS1確立応答メッセージにおいてMMEのS1配置情報をHeNB GWに送信する。
【００２５】
その中、SCTPにS1リンクを確立する具体的な方法は、MMEはS1の確立を許可すると、該ネットワーク要素は対応なS1を確立し、S1確立応答を送信し、HeNB GWにS1確立応答メッセージをフィードバックし、MMEを含んだS1配置情報は、例えばMME名称、公衆陸上移動ネットワーク識別子、MMEグループ識別子、MMEコードワード、相対MME能力などであり、MMEはS1の確立を許可しないと（例えばコアネットワークがHeNB GW配置をサポートしない時）、確立が失敗し、HeNB GWにS1確立の失敗メッセージをフィードバックする。
【００２６】
本実施例の方法にしたがってシステムにおける各MMEを同様に操作し、HeNB GWと各MMEの間にシステムデータ伝送を分担するための複数のSCTPリンクをそれぞれ確立する。
【００２７】
上記HeNB GWは既存ネットワーク計画などにしたがって確立する必要があるSCTPリンク数を確定するのは静的構成に属し、動的方法によって確立する必要があるSCTPリンク数を確定することもできる。図6は本発明における第二実施例のフローチャートであり、リアルタイムな又は定期的な統計データに基づいて動的に確立する必要があるSCTPリンク数を確定する。
【００２８】
ステップS301、HeNB GWはリアルタイムな又は定期的なシステム統計データに基づいて単一のMMEとの間に確立する必要があるSCTPリンク数を確定し、それぞれ確立する必要があるS1リンクに1つのGlobal eNB IDを分配する。
【００２９】
その中、前記統計データはリアルタイムな又は統計周期内のHeNB数、ユーザー数、シグナリングトラフィック又はパケットロス率などであってよく、処理する必要がある統計データが多いほど、確立すべきであるSCTPが多くなり、S1リンクも多くなり、例えば、本回で統計更新した後に単一のMMEでのTAC数が256*N個余りであるのを発現すると、本回で決めたS1リンク数がN+1である。このようにする利点は、システムにホーム基地局を新しく加えると、動的でタイムリーにSCTPリンク数を調整することができ、自動的に合理的な数に達する。
【００３０】
一回の統計データ結果に対して、後続の処理フローS302-S303は第一実施例S202-S203と同様である。
【００３１】
再度統計データ結果を取得した後に、HeNB GWは該更新した統計データに基づいて現在に必要なSCTPリンク数を確定し、前回配置の上で、それぞれMMEとの間のSCTPリンクを削除、増加することによって、HeNB GWと各MMEの間に所要の数量のSCTPリンクを形成し、合理的な前提で最大限にシステムリソース需要を満たすことを実現する。
【００３２】
HeNBとMMEの間のS1ポートメッセージを伝送するために、上記手段にしたがってゲートウェイHeNB GWと各MMEの間に複数のSCTPリンクを確立して、続いてS1リンクを確立した後に、さらにHeNBとHeNB GWの間の1つのS1リンクを確立する必要があり、具体的な方法は、HeNBはHeNB GWにS1確立要求を送信し、HeNB GWは要求を受信した後に、需要（即ちMMEは該HeNBのS1確立要求メッセージにおける全部又は一部のPLMNをサポートする時）を満たす各MMEとHeNB GWの間の複数のSCTPリンクから、1つのSCTPリンクを選択して該HeNBを常駐し、成功に常駐した後に該HeNBにS1リンク確立応答をフィードバックし、常駐が失敗すると、S1リンク確立失敗メッセージをフィードバックし、複数のMMEが需要を満たすと、最終的に複数のSCTP接続が該HeNBを常駐し、該HeNBのS1メッセージを伝送することに用いられる。
【００３３】
その中、複数のSCTPリンクから1つのSCTPリンクを選択してHeNBの常駐を行う際に、ロードバランシングの原則から考えると、優先的に現在に接続されるHeNBが最も少ないSCTPリンクを選択して常駐する（又はトラフィックが最も小さいSCTPを選択して常駐する）。成功に常駐した後に、該HeNBが送信したS1確立要求及び含まれた上位層アプリケーション構成情報に基づいて、該HeNBとHeNB GWの間に1つのS1リンクを確立する。HeNB GWはMMEのページングメッセージを受信した後に、ページングメッセージのSCTPリンクに基づいてページング要求を満たすHeNBを見つけてページングすることができ、HeNB GW全体でページング需要を満たすHeNBを見つけてページングすることではなく、これにより該MMEが他のSCTPに送信した同じページングメッセージが同一のAPに繰り返して送信されることを避けることができる。
【００３４】
また、LTEモードホーム基地局システムのゲートウェイ安定性を向上させるために、本発明はロングタームエボリューションシステムLTEモードホーム基地局システムにおけるゲートウェイ安定性を向上させる装置をさらに提供し、図7に示すように、該装置は、ゲートウェイHeNB GWはHeNB GWと単一の移動管理エンティティMMEの間に複数のSCTPリンクを確立する必要があることを確定し、同一のMMEでの異なるSCTPリンクにおけるS1インターフェイスのために異なるグローバルeNB識別子Global eNB IDを設定するためのSCTPリンク数確定処理モジュール401と、HeNB GWはHeNB GW とMMEの間の複数のSCTPリンクを確立させるためのSCTPリンク確立処理モジュール402と、HeNB GWは確立した各SCTPリンクに対して、S1確立要求によってMMEに該SCTPリンクベアラの上位層アプリケーション構成情報を知らせ、該SCTPリンクにS1リンクを確立するためのS1リンク確立処理モジュール403と、を備える。
【００３５】
その中、前記SCTPリンク数確定処理モジュール401は、既存ネットワーク計画に基づいて或いはリアルタイムな又は定期的なシステム統計データに基づいて確立する必要があるSCTPリンク数を確定し、リアルタイムな又は定期的なシステム統計データに基づいて確立する必要があるSCTPリンク数を確定する場合に、前記SCTPリンク数確定処理モジュールは本回のシステム統計データに基づいて現在に確立する必要があるSCTPリンク数を確定した後に、前記HeNB GWと前記MMEの間のSCTPリンクを削除、増加することによって、現在に必要なSCTPリンク数を形成する。
【００３６】
また、前記LTEモードホーム基地局システムにおけるゲートウェイ安定性を向上させる装置は、LTEモードホーム基地局HeNBはHeNB GWにS1確立要求を送信し、HeNB GWが要求を受信した後に、需要を満たす各MMEとHeNB GWの間の複数のSCTPリンクにおいて、1つのSCTPリンクを選択して該HeNBを常駐し、そして該HeNBが送信したS1確立要求及び含まれた上位層アプリケーション構成情報に基づいて、該HeNBとHeNB GWの間に1つのS1リンクを確立し、複数のMMEが需要を満たすと、最終的に該HeNBのS1メッセージを伝送するために複数のSCTP接続が該HeNBを常駐することとなることに用いられるSCTPリンク選択処理モジュールをさらに備える。
【００３７】
本発明の上記装置をLTEモードホーム基地局システムに用いて、ゲートウェイHeNB GWと単一のMMEの間に複数のSCTPリンクを確立することを実現し、HeNB GW安定性を向上させる目的を達成することができる。
【００３８】
例示するために、本発明の好ましい実施例を開示したが、当業者は、様々な改善、増加及び取り換えも可能であると意識するため、本発明の範囲が上記実施例に制限されることがない。
【産業上の利用可能性】
【００３９】
本発明の実施例の有益な効果は以下のとおりである。
1. HeNB GWと単一のMMEの間に複数のSCTPリンクを確立する方法を提供し、HeNB GWとMMEの間の1つのSCTPリンクによる制限を突破し、使用されるプロトコルの上でHeNB GWの容量と安定性を向上させることができる。
2.既存ネットワーク計画、システムのリアルタイムな又は周期性統計データに基づいて、必要なSCTPリンク数を確定し、既存ネットワークの使用需要を満たすことができるだけでなく、システムリソースを浪費してアイドルリンクを確立することがない。
3.HeNB和HeNB GWの間にS1リンクを確立する際に、優先的に現在にトラフィックが小さく又は接続されるHeNBが少ないSCTPリンクを選択してHeNBを常駐することができ、システム負荷をバランシングして、S1ポートメッセージの順調な転送を確保し、システム安定性を向上させる。 
【図１】
0005908180.tif 000002
【図２】
0005908180.tif 000003
【図３】
0005908180.tif 000004
【図４】
0005908180.tif 000005
【図５】
0005908180.tif 000006
【図６】
0005908180.tif 000007
【図７】
0005908180.tif 000008